(57)【要約】【課題】配管側と壁面側端部の間隔、捩れ角度の高精度な計測ができて、重量物である配管支持装置の取扱作業を低減でき、作業の効率化、安全性の向上を図ることができる配管支持装置取付調整用治具及び配管支持装置取付方法を提供する。【解決手段】配管１０と壁面１４との間に介在する配管支持装置を設置する前に、配管支持装置の設置場所に取付けられる伸縮可能かつ回転可能なバー１を備えた配管支持装置取付調整用治具である。バー１は、一端部が配管側の配管支持装置取付位置１７に着脱自在に取付けられるとともに、他端部が壁面側の配管支持装置取付位置１８に着脱自在に取付けられて、長さ寸法及び捩れ角度を測定することにより、配管側の配管支持装置取付位置１７と壁面側の配管支持装置取付位置１８との長さ寸法、配管側の配管支持装置取付位置１７と壁面側の配管支持装置取付位置１８との捩れ角度を測定する。【選択図】図１
2010112402.tif 000002
【特許請求の範囲】
【請求項１】
配管と壁面との間に介在する配管支持装置を設置する前に、前記配管支持装置の設置場所に取付けられる伸縮可能かつ回転可能なバーを備えた配管支持装置取付調整用治具であって、
前記バーは、一端部が配管側の配管支持装置取付位置に着脱自在に取付けられるとともに、他端部が壁面側の配管支持装置取付位置に着脱自在に取付けられて、その長さ寸法及び捩れ角度を測定することにより、配管側の配管支持装置取付位置と壁面側の配管支持装置取付位置との間隔、及び配管側の配管支持装置取付位置と壁面側の配管支持装置取付位置との捩れ角度を測定できることを特徴とする配管支持装置取付調整用治具。
【請求項２】
前記バーは、雄ねじ部と、雄ねじ部に螺着される袋ナットとを有する変位機構を備え、この変位機構の袋ナットを緩めることで前記バーが伸縮・回転可能な状態となり、締めることで非伸縮・回転不能な状態となることを特徴とする請求項１の配管支持装置取付調整用治具。
【請求項３】
前記バーは、前記変位機構を有する本体部と、この本体部の一方に設けられる配管側固定部と、本体部の他方に設けられる壁面側固定部とを備え、前記配管側固定部及び壁面側固定部は、配管側の配管支持装置取付位置及び壁面側の配管支持装置取付位置に対して３次元に揺動可能かつ伸縮・回転可能であることを特徴とする請求項１又は請求項２の配管支持装置取付調整用治具。
【請求項４】
前記バーをアルミニウムにて構成したことを特徴とする請求項１〜請求項３のいずれか１項の配管支持装置取付調整用治具。
【請求項５】
配管と壁面との間に介在する配管支持装置を設置する配管支持装置取付方法であって、  前記配管支持装置の設置場所に、前記請求項１〜請求項４の伸縮及び回転自在の配管支持装置取付調整用治具を取り付けて、
前記配管支持装置取付調整用治具の長さ寸法及び捩れ角度を測定することにより、配管側の配管支持装置取付位置と壁面側の配管支持装置取付位置との間隔、及び配管側の配管支持装置取付位置と壁面側の配管支持装置取付位置との捩れ角度を測定し、
前記測定結果に基づいて、配管支持装置の長さ寸法及び捩れ角度を調整した後、
調整済みの配管支持装置を、所定の設置場所に設置することを特徴とする配管支持装置取付方法。
【発明の詳細な説明】
【技術分野】
【０００１】
本発明は、配管の荷重を支持する配管支持装置を新規設置、又は取替えをする際、配管側と壁面側端部の間隔、及び捩れ角度の測定に用いる配管支持装置取付調整用治具及び配管支持装置取付方法に関する。
【背景技術】
【０００２】
例えば、火力・原子力発電所等の各種プラント設備には、多数の配管が設置される。プラント設備の配管ライン（管路）を支持するために、配管にはサポート（配管支持装置）が設置されている（特許文献１）。
【０００３】
配管支持装置１０１は、図６に示すように、本体部１０２とコネクティングチューブ１０３とで構成され、本体部１０２にコネクティングチューブ１０３が差し込まれた状態で差込部１０９が溶接されている。配管支持装置１０１の一端部にてクランプ１０５を介して配管１０４を支持すると共に、他端部をブラケット１０６を介して壁面１０７に固定することによって、配管１０４の荷重を支持している。
【０００４】
前記のような配管支持装置を交換する場合、まず、配管１０４を吊具１０８にて仮吊りし、既設の配管支持装置を取外す。その後、必要なコネクティングチューブ１０３の長さａを測定し、コネクティングチューブ１０３を適切な長さに切断する。そして、このコネクティングチューブ１０３を、本体部１０２の差込部１０９に差込んで仮組状態として、一旦定められた設置箇所に仮設置する。このとき、コネクティングチューブ１０３の差込代を確認し、位置決めのためのマーキングを行う。その後、仮設置した本体部１０２及びコネクティングチューブ１０３を一旦取外し、マーキングに従い、コネクティングチューブ１０３と本体１０２とを溶接して配管支持装置１０１を形成する。このようにして形成した配管支持装置１０１を、再度、定められた設置箇所に設置した後、吊具１０８を取外す。
【特許文献１】特開平１０−３３９３８７号公報
【発明の開示】
【発明が解決しようとする課題】
【０００５】
前記のような方法では、長さ寸法や捩れ角度を測定するために、配管支持装置を一旦設置箇所に仮設置し、取外して別の場所で長さ寸法や捩れ角度の調節を行うという作業が必要となる。このため、高所で重量物である配管支持装置の設置及び取外し作業を繰り返し行わなければならない。これにより、長時間を要して効率が悪く、しかも安全上好ましくないという問題があった。
【０００６】
そこで、本発明は、上記課題に鑑みて、配管側と壁面側端部の間隔、及び捩れ角度の高精度な計測ができて、高所で重量物である配管支持装置の取扱作業を低減でき、作業の効率化、安全性の向上を図ることができる配管支持装置取付調整用治具及び配管支持装置取付方法を提供する。
【課題を解決するための手段】
【０００７】
本発明の配管支持装置取付調整治具は、配管と壁面との間に介在する配管支持装置を設置する前に、前記配管支持装置の設置場所に取付けられる伸縮可能かつ回転可能なバーを備えた配管支持装置取付調整用治具であって、前記バーは、一端部が配管側の配管支持装置取付位置に着脱自在に取付けられるとともに、他端部が壁面側の配管支持装置取付位置に着脱自在に取付けられて、その長さ寸法及び捩れ角度を測定することにより、配管側の配管支持装置取付位置と壁面側の配管支持装置取付位置との間隔、及び配管側の配管支持装置取付位置と壁面側の配管支持装置取付位置との捩れ角度を測定できるものである。
【０００８】
本発明の配管支持装置取付調整治具では、配管支持装置（実機）を設置する前に、その設置場所に配管支持装置を簡略化した治具を実機と同様に取付ける。この治具は、伸縮・回転可能なバーから構成されているため、配管側の配管支持装置取付位置と壁面側の配管支持装置取付位置との間隔や捩れ角度に応じて、長さと捩れ角度を調節することができる。そして、治具を取外し、このバーの長さ寸法及び捩れ角度を測定することによって、配管側の配管支持装置取付位置と壁面側の配管支持装置取付位置との間隔、及び捩れ角度のデータを測定できる。この測定結果に基づいて配管支持装置の長さ寸法及び捩れ角度を調節して、取付位置に取付ける。これにより、従来必要としていた、配管側の配管支持装置取付位置と壁面側の配管支持装置取付位置との間隔や捩れ角度を測定するために、配管支持装置を一旦設置箇所に仮設置し、取外して別の場所で長さ寸法や捩れ角度の調節を行うという工程を省略することができる。なお、本発明において「壁面」とは、側壁面、天井壁面、床壁面を含むものとする。
【０００９】
前記バーは、雄ねじ部と、雄ねじ部に螺着される袋ナットとを有する変位機構を備え、この変位機構の袋ナットを緩めることで前記バーが伸縮・回転可能な状態となり、締めることで非伸縮・回転不能な状態とすることができる。
【００１０】
前記バーは、前記変位機構を有する本体部と、この本体部の一方に設けられる配管側固定部と、本体部の他方に設けられる壁面側固定部とを備え、前記配管側固定部及び壁面側固定部は、配管側の配管支持装置取付位置及び壁面側の配管支持装置取付位置に対して３次元に揺動可能かつ伸縮・回転可能とすることができる。これにより、バーは、３次元に動くことができ、微調整を行うことができる。
【００１１】
バーをアルミニウムにて構成することができる。これにより、軽量化を図ることができる。
【００１２】
本発明の配管支持装置取付方法は、配管と壁面との間に介在する配管支持装置を設置する配管支持装置取付方法であって、前記配管支持装置の設置場所に、前記本発明の伸縮及び回転自在の配管支持装置取付調整用治具を取り付けて、前記配管支持装置取付調整用治具の長さ寸法及び捩れ角度を測定することにより、配管側の配管支持装置取付位置と壁面側の配管支持装置取付位置との間隔、及び配管側の配管支持装置取付位置と壁面側の配管支持装置取付位置との捩れ角度を測定し、前記測定結果に基づいて、配管支持装置の長さ寸法及び捩れ角度を調整した後、調整済みの配管支持装置を、所定の設置場所に設置するものである。
【発明の効果】
【００１３】
本発明の配管支持装置取付調整治具及び配管支持装置取付方法によれば、従来必要としていた、配管支持装置を一旦設置箇所に仮設置し、取外して別の場所で長さ寸法や捩れ角度の調節を行うという工程を省略することができるため、重量物である配管支持装置の高所での取扱い作業を低減できる。これにより、作業時間を短縮化して作業効率を向上させることができ、しかも安全性を向上させることができる。
【００１４】
変位機構の袋ナットを緩めることで前記バーが伸縮・回転可能な状態となり、締めることで非伸縮・回転不能な状態とすることができるため、容易にバーの長さ寸法及び捩れ角度を調節することができ、短時間かつ容易にバーを調節することができる。
【００１５】
バーは、３次元に動くことができ、微調整を行うことができるため、配管側の配管支持装置取付位置と壁面側の配管支持装置取付位置との間隔及び捩れ角度を正確に測定することができる。
【００１６】
バーをアルミニウムにて構成すると、軽量化を図ることができるため、作業効率及び安全性を一層向上させることができ、また、取扱性の向上を図ることができる。
【発明を実施するための最良の形態】
【００１７】
以下、本発明を実施するための最良の形態について説明する。
【００１８】
本発明の配管支持装置取付調整用治具は、火力・原子力発電所等の各種プラント設備に設置された配管と、壁面との間に介在する配管支持装置を設置する前に、配管支持装置の設置場所に取付けられるものである。壁面とは、側壁面、天井壁面、床壁面を含むものとする。
【００１９】
配管支持装置取付調整用治具は、図１に示すように、アルミニウム製の１本のバー１から構成されている。このバー１は、本体部２と、この本体部２の一方に設けられる配管側固定部３と、本体部２の他方に設けられる壁面側固定部４とを備える。本体部２は、端部に配管側固定部３を有する第１本体部２ａと、端部に壁面側固定部４を有する第２本体部２ｂとからなる。そして、本体部２は図２に示すように、雄ねじ部６と、雄ねじ部６に螺着される袋ナット７とを有する変位機構５を備えている。これにより、変位機構５の袋ナット７を緩めることで、バー１が伸縮・回転可能な状態となり、締めることで非伸縮・回転不能な状態となる。
【００２０】
配管側固定部３及び壁面側固定部４は、球面軸受が設けられており、配管側の配管支持装置取付位置１７（図３参照）及び壁面側の配管支持装置取付位置１８（図３参照）に対して３次元に揺動可能としている。配管側固定部３及び壁面側固定部４には、夫々、ボルト（図示省略）が挿入される穴部８、９が設けられ、穴部８、９にボルトが挿入されることによって、配管側固定部３が配管側の配管支持装置取付位置１７に固定され、壁面側固定部４が壁面側の配管支持装置取付位置１８に固定される。
【００２１】
配管支持装置２０は、図３（ｄ）に示すように、本体部２４とコネクティングチューブ２３とで構成され、本体部２４にコネクティングチューブ２３が差し込まれた状態で差込部２５が溶接されている。コネクティングチューブ２３の端部には、配管側固定部２１が設けられ、本体部２４の端部には壁面側固定部２２が設けられている。そして、配管１０を支持するクランプ１２に配管側固定部２１を固定すると共に、壁面１４の取付板１３に設けられたブラケット１６に壁面側固定部２２を固定することによって、配管１０の荷重を支持している。
【００２２】
次に、本発明の配管支持装置取付調整用治具を用いて既設の配管支持装置から別の配管支持装置に取り換える方法について説明する。まず、図３（ａ）に示すように、配管１０を吊具１１にて仮吊りし、既設の配管支持装置（図示省略）を取外す。その後、図３（ｂ）に示すように、配管１０の配管支持装置取付位置１７にクランプ１２を取付け、壁面１４の配管支持装置取付位置１８に取付板１３を取付ける。そして、周囲の干渉物を避けるようにして、取付板１３にブラケット１６を取付ける。クランプ１２及びブラケット１６には、図示省略のボルトが挿入されるボルト挿入孔１５、１６ａが設けられている。
【００２３】
その後、図３（ｃ）に示すように、配管支持装置取付調整用治具を取付ける。すなわち、配管側固定部３とクランプ１２とをボルト固定するとともに、壁面側固定部４とブラケット１６とをボルト固定する。このとき、変位機構５の袋ナット７を緩めて、バー１を伸縮、回転させる。これにより、バー１の長さ寸法は、配管側の配管支持装置取付位置１７（クランプ１２のボルト挿入孔１５の位置）から壁面側の配管支持装置取付位置１８（ブラケット１６のボルト挿入孔１６ａの位置）までの長さ寸法に対応した長さ寸法となる。また、バー１の捩れ角度は、配管側の配管支持装置取付位置１７（クランプ１２の位置）と壁面側の配管支持装置取付位置１８（ブラケット１６の位置）との捩れ角度に対応した捩れ角度となる。そして、変位機構５の袋ナット７を締めて非伸縮・回転不能な状態として、バー１を固定状態とする。
【００２４】
そして、治具を取外し、このバー１の長さ寸法及び捩れ角度を測定することによって、配管側の配管支持装置取付位置１７（クランプ１２のボルト挿入孔１５の位置）と壁面側の配管支持装置取付位置１８（ブラケット１６のボルト挿入孔１６ａの位置）との間隔、及び捩れ角度のデータを測定できる。つまり、間隔は、配管側固定部３の穴部８から、壁面側固定部４の穴部９までの長さ寸法を測定することにより得られる。捩れ角度は、配管側固定部３と、壁面側固定部４との捩れ角度を測定することにより得られる。配管側固定部３と、壁面側固定部４との捩れ角度の測定は、例えば、図４に示すような捩れ角度検出器３０を用いることができる。この捩れ角度検出器３０は、角度目盛３１を有する角度検出板３２と、この角度検出板３２を鉛直方向に支承するブロック体３３と、被検出部の捩れ角度に応じて回動自在な回動ブロック３４と、回動ブロック３４と一体的に回動する指針３５と、指針３５を固定する蝶ねじ３６とを備えている。そして、図５に示すように、壁面側固定部４が垂直になるようにバー１を立てて、配管側固定部３の上に回動ブロック３４を回動させて合わせる。それと同時に指針３５が回動し、蝶ねじ３６で指針３５を固定する。そして、指針３５が、角度検出板３２の角度目盛３１を指す角度を読み取ることによって、捩り角度を測定することができる。
【００２５】
これらの測定結果に基づいて配管支持装置２０（図３（ｄ）参照）の長さ寸法及び捩れ角度を調節する。具体的には、コネクティングチューブ２３の配管側固定部２１と、本体部２４の壁面側固定部２２との長さ寸法が、治具の配管側固定部３と壁面側固定部４との長さ寸法と一致するように、コネクティングチューブ２３の本体部２４への差込代を調節する。また、コネクティングチューブ２３の配管側固定部２１と、本体部２４の壁面側固定部２２との捩れ角度が、治具の配管側固定部３と壁面側固定部４との捩れ角度と一致するように、コネクティングチューブ２３を本体部２４に対して回転させて調節する。そして、コネクティングチューブ２３と本体部２４とを溶接して配管支持装置２０を形成する。このようにして形成した配管支持装置２０を、図３（ｄ）に示すように、設置箇所に設置する。すなわち、配管側固定部２１とクランプ１２とをボルト固定するとともに、壁面側固定部２２とブラケット１６とをボルト固定する。そして、吊具１１を取外す。これにより、従来必要としていた、配管側の配管支持装置取付位置１７と壁面側の配管支持装置取付位置１８との間隔や捩れ角度を測定するために、配管支持装置２０を一旦設置箇所に仮設置し、取外して別の場所で長さ寸法や捩れ角度の調節を行うという工程を省略することができる。
【００２６】
このように、本発明の配管支持装置取付調整用治具は、従来必要としていた、配管支持装置２０を一旦設置箇所に仮設置し、取外して別の場所で長さ寸法や捩れ角度の調節を行うという工程を省略することができるため、重量物である配管支持装置２０の高所での取扱い作業を低減できる。これにより、作業時間を短縮化して作業効率を向上させることができ、しかも安全性を向上させることができる。
【００２７】
変位機構５の袋ナット７を緩めることでバー１が伸縮・回転可能な状態となり、締めることで非伸縮・回転不能な状態とすることができる。このため、容易にバー１の長さ寸法及び捩れ角度を調節することができ、短時間かつ容易にバー１を調節することができる。
【００２８】
バー１は、３次元に動くことができ、微調整を行うことができるため、配管側の配管支持装置取付位置１７と壁面側の配管支持装置取付位置１８との間隔及び捩れ角度を正確に測定することができる。
【００２９】
バー１をアルミニウムにて構成すると、軽量化を図ることができるため、作業効率及び安全性を一層向上させることができ、また、取扱性の向上を図ることができる。
【００３０】
以上、本発明の実施形態につき説明したが、本発明は前記実施形態に限定されることなく種々の変形が可能であって、例えば、本体部２の長さや太さは種々の長さとすることができる。第１本体部２ａと第２本体部２ｂとを同一のものとすることもでき、また、第１本体部２ａと第２本体部２ｂとで長さ、太さ、材質を相違させてもよい。本体部２は、中空のものであっても、中実のものであってもよい。材質としては、アルミニウムに限られず、軽量かつ高強度のものであれば種々のものを採用することができる。変位機構５は、１箇所に限られず２箇所以上設けてもよい。実施形態では、取付板１３とブラケット１６とを別体としたが、一体であってもよい。
【図面の簡単な説明】
【００３１】
【図１】本発明の実施形態を示す配管支持装置取付調整用治具の平面図である。
【図２】本発明の実施形態を示す配管支持装置取付調整用治具の要部拡大図である。
【図３】本発明の実施形態を示す配管支持装置取付方法を用いて配管支持装置を取付ける工程図である。
【図４】本発明の実施形態を示す配管支持装置取付調整用治具の捩れ角度の検出の際に使用する捩り角度検出器の斜視図である。
【図５】本発明の実施形態を示す配管支持装置取付調整用治具の捩れ角度の検出の際に使用する捩り角度検出器の使用状態を示す斜視図である。
【図６】従来の配管支持装置取付方法を用いた配管支持装置の取付状態の側面図である。
【符号の説明】
【００３２】
１    バー
２    本体部
３    配管側固定部
４    壁面側固定部
５    変位機構
６    雄ねじ部
７    袋ナット
１０  配管
１４  壁面
１７、１８  配管支持装置取付位置
２０  配管支持装置
【図１】
2010112402.tif 000003
【図２】
2010112402.tif 000004
【図３】
2010112402.tif 000005
【図４】
2010112402.tif 000006
【図５】
2010112402.tif 000007
【図６】
2010112402.tif 000008